(57)【要約】【課題】  電源の供給性に優れ、可撓性を備え、通信状態が容易にわかる表示装置付ＩＣカード及びその使用方法を提供することを課題とする。【解決手段】  本表示装置付ＩＣカードは、基板２と、色素増感型太陽電池３と、該色素増感型太陽電池を電源とする表示装置４と、少なくとも通信手段及び演算手段を具備するＩＣ素子６とを備え、該通信手段は、ＩＣカードの読み書き装置と通信を行い、該演算手段は、該通信手段の受信内容を元に所定の演算を行い、演算結果を該表示装置に出力することを特徴とする。本表示装置付ＩＣカードは、可視光源が発する可視光がＩＣカードに照射されるように位置合わせすることで、読み取り位置に表示装置付ＩＣカードを位置合わせされるように使用される。【選択図】  図３
2005078370.tif 000002
【特許請求の範囲】
【請求項１】
基板２と、
該基板に配設される色素増感型太陽電池３と、
該基板に配設され、該色素増感型太陽電池を電源とする表示装置４と、
該基板に配設されるＩＣ素子６とを備え、
該ＩＣ素子は該表示装置に表示内容を出力することを特徴とする表示装置付ＩＣカード。
【請求項２】
上記色素増感型太陽電池を構成する基板は、可撓性樹脂である請求項１記載の表示装置付ＩＣカード。
【請求項３】
上記色素増感型太陽電池は、複数の太陽電池セル３０を直列接続して構成され、その動作時出力電圧は上記表示装置の駆動電圧以上である請求項１又は２記載の表示装置付ＩＣカード。
【請求項４】
上記色素増感型太陽電池の厚さと上記表示装置の厚さとの和は、上記表示装置付ＩＣカードの厚さ未満である請求項１乃至３のいずれか一項に記載の表示装置付ＩＣカード。
【請求項５】
上記色素増感型太陽電池及び上記表示装置は積層して配設され、該表示装置の表示内容は該色素増感型太陽電池を通して判別可能な色彩で表示される請求項４記載の表示装置付ＩＣカード。
【請求項６】
上記色素増感型太陽電池の両面がＩＣカードの両面から光を受光可能に配設される請求項１乃至５のいずれか一項に記載の表示装置付ＩＣカード。
【請求項７】
上記表示装置は電気泳動型ディスプレイである請求項１乃至７のいずれか一項に記載の表示装置付ＩＣカード。
【請求項８】
請求項１乃至７のいずれか一項に記載の表示装置付ＩＣカードの使用方法であって、該表示装置付ＩＣカードの色素増感型太陽電池に可視光が照射される状態で、該表示装置付ＩＣカードの読み書きを行うことを特徴とする表示装置付ＩＣカードの使用方法。
【請求項９】
請求項１乃至７のいずれか一項に記載の表示装置付ＩＣカードの使用方法であって、該表示装置付ＩＣカードの読み書き可能な範囲に可視光を照射する可視光源を具備する該表示装置付ＩＣカードの読み書き装置を用い、
該表示装置付ＩＣカードを該読み書き装置の該可視光源から発する可視光が該表示装置付ＩＣカードの色素増感型太陽電池に照射されるように位置合わせすることで、該読み書き可能な範囲に該表示装置付ＩＣカードを位置合わせすることを特徴とする表示装置付ＩＣカードの使用方法。
【発明の詳細な説明】
【技術分野】
【０００１】
本発明は、表示装置付ＩＣカード及びその使用方法に関する。更に詳しくは、電源の供給性に優れ、可撓性を備え、通信状態が容易にわかり、また、安価に製造することができる表示装置付ＩＣカード及びその使用方法に関する。
本表示装置付ＩＣカード及びその使用方法は、ＩＣカードに関係する情報が閲覧できることが好ましい、電子マネー、プリペイドカード、クレジットカード、定期券及びＩＤカード等の用途に利用される。
【背景技術】
【０００２】
従来からＩＣカードに組み込んだ液晶ディスプレイパネル等の表示装置で表示する手段が考えられている。このような表示装置付きのＩＣカードは、電子マネー及びプリペイドカード等の機能を持つＩＣカードにおいて表示装置に残高情報等を表示する。
このような表示装置の消費電力は、ＩＣカードの主要な機能に要する消費電力に比べて大きいため、様々な電力供給方法が提案されている。（例えば、特許文献１及び２を参照。）
【０００３】
【特許文献１】実用新案登録第３０８９９１２号公報（第５頁、第４図）
【特許文献２】特開昭６１−１６３６５３号公報（第２頁、第４図）
【発明の開示】
【発明が解決しようとする課題】
【０００４】
しかし、特許文献１等の送受信用コイルから得られる電力を電源とする方法は、表示装置に供給する電力の分だけＩＣカード内の電源回路の出力容量を何倍にも強化する必要があり、電源回路のコストが大幅に増加する問題があった。また、ＩＣカードに供給する電波を強くする必要があるため、ＩＣカードリーダ側の送信機のコストが増加すると共に、機器及び人体への電波障害に対する対策が更に十分に行う必要となる。更に、ＩＣカードが通信可能であるかどうかがわかりにくいため、所定の場所に接触させる動作を指示させるなどの工夫が必要である。
更に、ＩＣカード内に二次電池及びキャパシタ等の蓄電装置を設け送受信用コイルや太陽電池から得られた電力を蓄積し、表示時に表示装置へ供給する方法は、充電装置がかさばり、その他の装置の設置場所が減る問題があった。
【０００５】
一方、特許文献２等の、従来から用いられている結晶シリコンや非晶質シリコンを用いたシリコン太陽電池をＩＣカードに内蔵し、そのシリコン太陽電池を電源とする方法は、シリコン太陽電池の製造コストが比較的高価である。また、結晶シリコンを用いたシリコン太陽電池の場合は、可撓性がないためＩＣカードの可撓性が得られない問題があった。
【０００６】
本発明は、上記問題点を解決するものであり、電源の供給性に優れ、可撓性を備え、通信状態が容易にわかり、また、安価に製造することができる表示装置付ＩＣカード及びその使用方法を提供することを目的とする。
【課題を解決するための手段】
【０００７】
本発明は、以下の通りである。
１．基板２と、該基板に配設される色素増感型太陽電池３と、該基板に配設され、該色素増感型太陽電池を電源とする表示装置４と、該基板に配設されるＩＣ素子６とを備え、該ＩＣ素子は該表示装置に表示内容を出力することを特徴とする表示装置付ＩＣカード。
２．上記色素増感型太陽電池を構成する基板は、可撓性樹脂である上記１．記載の表示装置付ＩＣカード。
３．上記色素増感型太陽電池は、複数の太陽電池セル３０を直列接続して構成され、その動作時出力電圧は上記表示装置の駆動電圧以上である上記１．又は２．記載の表示装置付ＩＣカード。
４．上記色素増感型太陽電池の厚さと上記表示装置の厚さとの和は、該表示装置付ＩＣカードの厚さ未満である上記１．乃至３．のいずれかに記載の表示装置付ＩＣカード。
５．上記色素増感型太陽電池及び上記表示装置は積層して配設され、該表示装置の表示内容は該色素増感型太陽電池を通して判別可能な色彩で表示される上記４．記載の表示装置付ＩＣカード。
６．上記色素増感型太陽電池の両面が表示装置付ＩＣカードの両面から光を受光可能に配設される上記１．乃至５．のいずれかに記載の表示装置付ＩＣカード。
７．上記表示装置は電気泳動型ディスプレイである上記１．乃至６．のいずれかに記載の表示装置付ＩＣカード。
８．上記１．乃至７．のいずれか一項に記載の表示装置付ＩＣカードの使用方法であって、該表示装置付ＩＣカードの色素増感型太陽電池に可視光が照射される状態で、該表示装置付ＩＣカードの読み書きを行うことを特徴とする表示装置付ＩＣカードの使用方法。
９．上記１．乃至７．のいずれか一項に記載の表示装置付ＩＣカードの使用方法であって、該表示装置付ＩＣカードの読み書き可能な範囲に可視光を照射する可視光源を具備する該表示装置付ＩＣカードの読み書き装置を用い、該表示装置付ＩＣカードを該読み書き装置の該可視光源から発する可視光が該表示装置付ＩＣカードの色素増感型太陽電池に照射されるように位置合わせすることで、該読み書き可能な範囲に該表示装置付ＩＣカードを位置合わせすることを特徴とする表示装置付ＩＣカードの使用方法。
【発明の効果】
【０００８】
本発明の表示装置付ＩＣカードによれば、色素増感型太陽電池と、それを電源とする表示装置とを備えることで、ＩＣカード上に電気的に更新可能な表示手段を設けることができ、かつシリコン太陽電池等を用いた場合や、電磁波を電力に変換する電源回路を強化するより簡素であるため、安価で容易に作製することができる。
【０００９】
また、色素増感型太陽電池の基板を可撓性にする場合は、本ＩＣカードも可撓性にすることができ、取り扱いしやすくすることができる。また、色素増感型太陽電池及びＩＣカードを一つの生産ラインを用いてロールトゥロールによる作製をすることができるため工程を簡略化することができる。
複数の太陽電池セルを直列接続した色素増感型太陽電池を用いる場合は、表示装置の駆動に必要な電圧を容易に得ることができる。また、色素増感型太陽電池をロールトゥロールで作成する場合は、必要な太陽電池セル数でロールを切断して利用できる太陽電池セル構成を選択することができ、汎用性を高めることができる。
【００１０】
色素増感型太陽電池及び表示装置の厚さを本ＩＣカード内で積層可能な厚さとする場合は、これらの一部又は全てを重ねた状態にすることができ、表示面積をより多くする等の目的で配置を自由に選択することができる。
また、色素増感型太陽電池が背景となるように表示装置を重ねる場合は、表示装置の表示面積を大きく確保することができ、視認性がよいＩＣカードとすることができる。
更に、ＩＣカードの両面から光を受光可能に配設可能な色素増感型太陽電池を用いる場合は、本ＩＣカードの両面から受光して発電することができるため、使用するＩＣカードの向きを考慮する必要がなく、光に合わせた誘導を行うことができ、使い勝手がよい。
表示装置として、電気泳動型ディスプレイを用いる場合は、表示内容の更新時以外は電力消費がなく、また、電圧駆動方式なので消費電力が少なく、電源回路の容量を少なくし小型化が容易にできる。
【００１１】
本発明の表示装置付ＩＣカードの使用方法によれば、読み書き時に、色素増感型太陽電池に可視光を照射することで、読み書きの結果等を表示装置に表示することができる。
また、本発明の表示装置付ＩＣカードの使用方法によれば、ＩＣカードの読み書き位置と、色素増感型太陽電池に可視光を照射する位置を一致させたため、ＩＣカードの位置合わせを可視光の位置を見ることによって容易に行うことができる。
【発明を実施するための最良の形態】
【００１２】
以下、本発明の表示装置付ＩＣカード及びその使用方法を図１〜１３を用いて説明する。
上記「色素増感型太陽電池」は、半導体に色素を吸着させ、この色素による電子放出を行い、光化学電池を構成した電池である。この色素増感型太陽電池は、例えば図５に示すように透明電極３３を備える二枚の向かいあった基板３１と、一方の透明電極３３に形成された色素増感半導体３４と、基板３１間に注入される酸化還元性の電解液３５とから構成される。
また、通常用いられる厚さが０．４５〜０．８５ｍｍのＩＣカードに用いる場合、色素増感型太陽電池の厚さは、０．２０〜０．８５ｍｍ（好ましくは０．２５〜０．８０ｍｍ以下、更に好ましくは０．３０〜０．７５ｍｍ以下）が好ましい。色素増感型太陽電池がＩＣカードの表面から突出しない厚さであることが好ましいからである。また、表示装置と重ねて配設する場合、色素増感型太陽電池の厚さは、０．１０〜０．４２ｍｍ（好ましくは０．１２〜０．４０ｍｍ以下、更に好ましくは０．１５〜０．２７ｍｍ以下）が好ましい。
【００１３】
尚、色素増感型太陽電池は、ＩＣ素子にも電力供給を行うことができる。このような構成の表示装置付ＩＣカードは、電波によるＩＣ素子に電力を供給する量を減らすことができ、電波の強度を弱めることができるからである。
ＩＣ素子に電力供給を行う場合、例えば、表示装置を駆動するための色素増感型太陽電池を共通して利用することができる。この場合、色素増感型太陽電池の同じ端子から並列接続してもよいし、ＩＣ素子を駆動するために必要な電圧になるように、直列接続されている太陽電池セル間の接続から分岐してＩＣ素子に接続することもできる。
また、色素増感型太陽電池を２つ用意し、一方の色素増感型太陽電池は表示装置に電力供給し、他方の色素増感型太陽電池はＩＣ素子に電力供給することもできる。
更に、表示装置付ＩＣカードに用いる色素増感型太陽電池の構造は、上記例に限らず任意に選択することができる。例えば、透明電極を対向させず、一方の面に両方の電極を配設することもできる。また、表示装置付ＩＣカードの片面からのみ色素増感型太陽電池の開口部を設ける場合は、色素増感型太陽電池の任意の片面の一部又は全面を不透明にすることができる。
【００１４】
上記「ＩＣ素子」は、ＩＣカードの読み書き装置と通信を行い、ＩＣカードに関連する情報を提供するための素子である。このＩＣ素子は、少なくとも通信手段及び演算手段を具備することができ、該通信手段は、ＩＣカードの読み書き装置と通信を行い、該演算手段は、該通信手段の受信内容を元に所定の演算を行うことができる。また、演算手段は、演算結果を該表示装置に出力することができる。
上記「通信手段」は、電極による有線接続や、アンテナを設け電波による無線接続等によって通信を行うことができる手段である。また、上記「演算手段」は演算器の他、メモリを具備し、該メモリの内容を参照して演算することもできる。
【００１５】
上記「表示装置」は、ＩＣカードに設けることができる薄板状で低消費電力のディスプレイが好ましく、例えば電気泳動型ディスプレイ、粒子回転型ディスプレイ及び液晶ディスプレイ等を挙げることができる。このうち表示内容が変化しないときには電力を消費しない、電気泳動型ディスプレイ及び粒子回転型ディスプレイが好ましい。
上記「電気泳動型ディスプレイ」は、図６に例示するように着色した粒子４４、４５を電気泳動により位置移動させることで色彩を変化させる表示装置である。このような電気泳動型ディスプレイは、電圧駆動のため低消費電力であると共に、物理的に粒子を動かすため表示状態が維持するための電力を必要とせず、本表示装置付ＩＣカードの表示装置として、特に好ましい。
また、上記「粒子回転型ディスプレイ」は、一半球側と他半球側とを異なる着色を行うことで帯電させた粒子を電場によって回転させる色分け粒子回転型や、針状等の粒子を液中に分散させ、電場によって粒子の向きを変える分散粒子回転型等を例示することができる。
【００１６】
また、通常用いられる厚さが０．４５〜０．８５ｍｍのＩＣカードに用いる場合、表示装置の厚さは、０．２０〜０．８５ｍｍ（好ましくは０．２５〜０．８０ｍｍ以下、更に好ましくは０．３０〜０．７５ｍｍ以下）が好ましい。表示装置がＩＣカードの表面から突出しない厚さであることが好ましいからである。また、色素増感型太陽電池と重ねて配設する場合、表示装置の厚さは、０．１０〜０．４３ｍｍ（好ましくは０．１３〜０．４０ｍｍ以下、更に好ましくは０．１５〜０．２８ｍｍ以下）が好ましい。
【００１７】
更に、表示装置を構成する基板は、表示内容が視認可能な透明な材料が好ましく、樹脂、ガラス及びセラミックスを挙げることができる。また、可塑性のＩＣカードを得るためには、可撓性樹脂を用いた基板が好ましい。この可塑性は、表示装置の基板の厚さが０．３ｍｍ以下（好ましくは０．２５ｍｍ以下、更に好ましくは０．２ｍｍ以下）のときに、他の部材と同程度の曲げ強度等を備えているのが好ましい。
この可塑性樹脂の例として、ポリカーボネート、ポリスルホン、ポリエーテルスルホン、ポリエーテルサルフォン、エポキシ樹脂、ポリエチレン、ポリプロピレン、ポリエステル、ポリフェニレンスルフィド、液晶ポリマー、ポリエーテルエステルアミド、ポリアミドエラストマー、ポリアミドイミドエラストマー、ポリエステルエラストマー等を挙げることができる。これらは１種単独であるいは２種以上を組み合わせて用いることができる。
【００１８】
上記「動作時出力電圧」は、色素増感型太陽電池に負荷である表示装置を接続して、表示装置を動作させているときの色素増感型太陽電池の出力電圧である。
この動作時出力電圧を上記表示装置の駆動電圧以上とするのは、表示装置を駆動させるために昇圧回路等の回路を要することがなく、簡単な電源回路で済むからである。
更に、表示装置を駆動することができる電圧を出力できるような色素増感型太陽電池にするには、単電池である太陽電池セルを複数直列接続することを例示することができる。例えば、表示装置の駆動電圧が３Ｖ〜９Ｖであり、太陽電池セルの動作時出力電圧が約０．５Ｖである場合、太陽電池セルを６〜３０個（好ましくは５〜２４個、更に好ましくは５〜１８個）直列接続して、３〜１５Ｖ（好ましくは３〜１２Ｖ、更に好ましくは３〜９Ｖ）の動作時出力電圧とすることを挙げることができる。
【００１９】
また、色素増感型太陽電池及び表示装置は、その一部面を重ねて（例えば図１１を参照。）、又は全ての面を重ねて（例えば図４を参照。）ＩＣカードに配設することができる。
このように重ねたときの上記色素増感型太陽電池の厚さと上記表示装置の厚さとの和は、本ＩＣカードの厚さ未満が好ましい。例えば、通常用いられる厚さが０．４５〜０．８５ｍｍのＩＣカードに用いる場合、厚さの和は、０．２０〜０．８５ｍｍ（好ましくは０．２５〜０．８０ｍｍ以下、更に好ましくは０．３０〜０．７５ｍｍ以下）が好ましい。表示装置がＩＣカードの表面から突出しない厚さであることが好ましいからである。
【００２０】
また、色素増感型太陽電池をＩＣカードの一面側とし、表示装置を他面側となるように全面にわたって積層して配設することができる。色素増感型太陽電池の色素を表示装置の表示内容が判別できる程度に、薄くすることで、色素増感型太陽電池による電力供給を行いつつ、色素増感型太陽電池を通して表示装置の表示内容を視認することができる。
更に、表示装置を表面側とし、色素増感型太陽電池を裏面側となるように全面にわたって積層して配設することができる。表示装置に透光性が備えている場合、表示装置を介して色素増感型太陽電池に光が当たり、電力供給を行うことができる。
【実施例１】
【００２１】
以下、本実施例１の表示装置付ＩＣカード及びその使用方法を説明する。
本表示装置付ＩＣカードは、表示装置を備えた非接触型ＩＣカードであり、カードリーダとの通信をカードリーダが発する電波によって行う。
【００２２】
１．表示装置付ＩＣカードの構成
本実施例１の表示装置付ＩＣカード１ａは、図１〜図４に示すように、カード基板２、色素増感型太陽電池３、表示装置４、アンテナ５及びＩＣ素子６を備える。また、大きさは、幅：８６ｍｍ、高さ：５４ｍｍ、厚さ：０．７５ｍｍである。
カード基板２は、図３及び図４に示すように、アンテナ５及びＩＣ素子６を配設すると共に、色素増感型太陽電池３及び表示装置４を囲うように位置することで、色素増感型太陽電池３及び表示装置４の固定を行っている。
色素増感型太陽電池３は、厚さが０．４ｍｍであり、図５に示すようにセパレータ３２で区画された１０個の太陽電池セル３０を直列接続した構成となっており、表示装置４に必要な電圧を確保している。また、各太陽電池セル３０は、２枚の可撓性樹脂製の基板３１、基板３１の内面に形成される透明電極３３、及び基板３１間に封止される電解液３５を備える。また、一方の電極３３には色素増感半導体３４が形成されている。更に、基板３１及び電極３３は共に透明であるため、図１〜図４に示すように、ＩＣカード本体の両面の開口部１１、１２から可視光を受光し、発電することができる。この太陽電池セル３０の動作時出力電圧は約０．５Ｖであり、１０個直列接続することにより約５Ｖの動作時出力電圧を得ることができる。
【００２３】
表示装置４は、開口部１３から露出する厚さ０．３ｍｍの電気泳動型ディスプレイである。この表示装置は約５Ｖで駆動することができ、図６に示すように、面状に配列される多数のマイクロカプセル４３と、各マイクロカプセル４３を挟むように配設される基板４１とを備える。
また、基板４１は、ＩＴＯ等からなる格子状透明電極４２が形成され、各マイクロカプセル４３に電場をかけることができる。
マイクロカプセル４３は、異なる極性に帯電した白色着色粒子４４及び黒色着色粒子４５と、液体４６とが封入されており、透明電極４２によって印可される電場によって白色着色粒子４４及び黒色着色粒子４５がそれぞれ反対側に移動する。この着色粒子４４、４５の移動によって表示装置４表面の色彩が変化し、文字及び図形等を表現することができる。また、マイクロカプセル４３に電場が掛かっていない場合は、着色粒子４４、４５はほとんど移動しないため、表示した文字等を維持することができる。
【００２４】
アンテナ５は、カード基板２上に形成されたスパイラルアンテナであり、カードリーダから発せられる電波を受信してＩＣ素子６へ出力する。
ＩＣ素子６は、メモリ回路、演算回路及び電源回路を具備し、アンテナ５が受信した電波を電源回路で整流及び安定化させて全ての回路へ電力を供給する。また、電波の検波を行ってカードリーダからの情報を求める。更に、得られた情報をメモリ回路及び演算回路によって演算し、得られた結果を基に消費電力を変動させ、カードリーダへ負荷変動の形で結果を伝達する。
【００２５】
２．表示装置付ＩＣカードの使用方法
このような表示装置付ＩＣカード１ａは、図１３に示すように、可視光源７２を備えたカードリーダ７に対して使用することができる。
このカードリーダ７は、色素増感型太陽電池３に可視光を供給する可視光源７２と、アンテナ５に対して電波を発する送信アンテナ７１を備える、ＩＣカードの読み書きを行うための装置である。また、可視光の光束７２１より電波の到達範囲７１１の方が広く、更に、光束７２１は到達範囲７１１に収まる。このため、表示装置付ＩＣカード１ａを光束７２１に納め、色素増感型太陽電池３に光が当たるように調節することで、アンテナ５が到達範囲７１１内に収まり、ＩＣカード１ａ及びカードリーダ７間で通信を行うことができる。
【００２６】
３．表示装置付ＩＣカード及びその使用方法の効果
このような表示装置付ＩＣカード１ａは、ＩＣカード上に電気的に更新可能な表示手段を設けることができ、ＩＣカードの利用者等に対して情報を提供することができる。
また、シリコン太陽電池等を用いた場合や、電磁波を電力に変換する電源回路を強化するより簡素で安価に作製することができる。
更に、色素増感型太陽電池及びＩＣカードは、いずれもロールトゥロールによる作製をすることができるため、生産ラインを共通にすることができ、製造工程を簡略化することができる。また、色素増感型太陽電池を可撓性にすることで、本ＩＣカード全体を可撓性にすることができ、取り扱いしやすくすることができる。
更に、色素増感型太陽電池は図４に示すようにＩＣカード両面に設けられる開口部１１、１２から可視光を受けることができるため、表裏を区別することなく使用することができる。
【００２７】
更に、表示装置として、電気泳動型ディスプレイを用いることで、表示内容の更新時以外は電力消費がなく、また、電圧駆動方式なので消費電力が少なく、電源回路の容量を少なくし小型化が容易にできる。
また、色素増感型太陽電池は、複数の太陽電池セルを直列接続しているあるため、昇圧回路等の複雑な電源回路によって必要とせず、本ＩＣカードを安価に作製することができる。
更に、表示装置の駆動電源は、ＩＣ素子６の駆動電源（電波）とは異なっているため、可視光源がない場合であっても、ＩＣカードの機能を発揮することができる。
【００２８】
また、ＩＣカードの読み書き位置と、色素増感型太陽電池に可視光を照射する位置を一致させて使用するため、ＩＣカードの位置合わせを可視光の位置を見ることによって容易に行うことができる。また、可視光源７２のコストは安価であるため、従来のカードリーダに比べて大きなコストをかけることなく本表示装置付ＩＣカードの利用をできるようにすることができる。
【実施例２】
【００２９】
以下、本実施例２の表示装置付ＩＣカード及びその使用方法を説明する。
本実施例２の表示装置付ＩＣカード１ｂは、図７〜１０に示すように、色素増感型太陽電池３及び表示装置４を重ねて配設されたＩＣカードであり、カード基板２、色素増感型太陽電池３、表示装置４、アンテナ５及びＩＣ素子６を備える。
色素増感型太陽電池３は、表示装置４の上面に重ねて配設されている。また、色素増感型太陽電池３及び表示装置４の厚さの和は０．７ｍｍであるため、厚さ０．７５ｍｍのＩＣカードから突出しない。
このため、表示装置４に表示される内容は、色素増感型太陽電池３を介して見ることができる。また、色素増感型太陽電池３に用いられる電解液及び増感用の色素は、表示装置４の表示内容が室内光で判別できる程度の濃さである。
【００３０】
本表示装置付ＩＣカードはこのような積層構造によって、表示装置４の情報表示部分を大きく取ることができる。色素増感型太陽電池３は表示装置４による表示を見易くするために十分に薄い色の色素を用いる必要があるが、表示装置４と同様に色素増感型太陽電池３の面積も大きく取ることが可能であるため、薄い色の色素を用いることによる発電効率の低下を補うことができる。
【００３１】
尚、本発明においては、前記実施例に示すものに限られず、目的、用途に応じて本発明の範囲内で種々変更した態様とすることができる。例えば、各実施例に用いる表示装置及び色素増感型太陽電池は、並べて配列しした形態と、重ねた形態であるがこれに限られず、一部分だけ重ねて設けることができる。例えば、図１１に示すように、色素増感型太陽電池３及び表示装置４の一辺を重ねることによって、より表示面積及び受光面積を確保しつつ並べて配列することができる。
また、図１２に示すように、片面のみ開口した表示装置付ＩＣカードとすることができる。このような、表示装置付ＩＣカードは、一方の開口部１１のみ色素増感型太陽電池が露出するため、色素増感型太陽電池の背面に反射板等を設け、一方からの光の照射に対する感度を高めることができる。
更に、実施例２のＩＣカードは、色素増感型太陽電池を表面側とし、表示装置を背面側とした積層型であるが、表示装置を表面側とし、色素増感型太陽電池を裏面側とする構成とすることもできる。透光性を備える表示装置を表面側とすることで視認性を向上させると共に、表面からの光によって色素増感型太陽電池による電力供給を行うことができる。
また、ＩＣカードに限らず、カード状の電卓、ＰＤＡ及び携帯電話等の用途に用いることができる。
【００３２】
更に、各実施例で用いられている色素増感型太陽電池は、表示装置に接続され電力供給を行っているが、これに限られずＩＣ素子にも電力供給を行うことができる。このような構成のＩＣカードは、ＩＣ素子に電力を供給する量を減らすことができ、電波の強度を弱めることができる。
【図面の簡単な説明】
【００３３】
【図１】実施例１の表示装置付ＩＣカードの外観を説明するための平面図である。
【図２】実施例１の表示装置付ＩＣカードの外観を説明するための背面図である。
【図３】実施例１の表示装置付ＩＣカードの内部構成を説明するために、ＩＣカードの表側の外装を除去した模式説明図である。
【図４】実施例１の表示装置付ＩＣカードの内部構成を説明するためのＡ−Ａ’模式断面図である。
【図５】色素増感型太陽電池の構成を説明するための模式断面図である。
【図６】電気泳動型ディスプレイの構成を説明するための模式断面図である。
【図７】実施例２の表示装置付ＩＣカードの外観を説明するための平面図である。
【図８】実施例２の表示装置付ＩＣカードの外観を説明するための背面図である。
【図９】実施例２の表示装置付ＩＣカードの内部構成を説明するために、ＩＣカードの表側の外装を除去した模式説明図である。
【図１０】実施例２の表示装置付ＩＣカードの内部構成を説明するためのＡ−Ａ’模式断面図である。
【図１１】異なる構成の表示装置付ＩＣカードの内部構成を説明するための模式断面図である。
【図１２】異なる構成の表示装置付ＩＣカードの内部構成を説明するための模式断面図である。
【図１３】表示装置付ＩＣカードの使用を説明するための模式図である。
【符号の説明】
【００３４】
１ａ、１ｂ；表示装置付ＩＣカード、１１、１２、１３；開口部、２；カード基板、３；色素増感型太陽電池、３０；太陽電池セル、３１；基板、３２；セパレータ、３３；透明電極、３４；色素増感半導体、３５；電解液、４；表示装置、４１；基板、４２；透明電極、４３；マイクロカプセル、４４、４５；着色粒子、４６；液体、５；アンテナ、６；ＩＣ素子、７；カードリーダ、７１；送信アンテナ、７２；可視光源。
【図１】
2005078370.tif 000003
【図２】
2005078370.tif 000004
【図３】
2005078370.tif 000005
【図４】
2005078370.tif 000006
【図５】
2005078370.tif 000007
【図６】
2005078370.tif 000008
【図７】
2005078370.tif 000009
【図８】
2005078370.tif 000010
【図９】
2005078370.tif 000011
【図１０】
2005078370.tif 000012
【図１１】
2005078370.tif 000013
【図１２】
2005078370.tif 000014
【図１３】
2005078370.tif 000015